(57)【要約】【課題】砂漠地帯などの植物の生育していない土地において、育成可能な植物と養分を与え緑化可能な砂漠緑化装置を提供する。【解決手段】本発明の砂漠緑化装置は、乾燥した雑草を積み重ねて構成された雑草床２と、砂漠面６とを備える砂漠緑化装置において、雑草の生育地域にて移動可能なように雑草を乾燥させて円筒状の雑草ロール１を備えたことと、砂漠面６に沿って敷き詰められた雑草床２と、雑草床２と雑草床２の境界の重力方向に沿った方向に配置する雑草床２と、一番下に位置した雑草床２と砂漠面の間に配置された藺ゴザ４と、一番上に位置する雑草床２を覆うような雑草飛散防止ネット３と、雑草飛散防止ネット３と砂漠面６との間が固定されるよう重力方向に沿って配置される杭５とを備えたことを特徴とする。【選択図】図１
2010011837.tif 000002
【特許請求の範囲】
【請求項１】
雑草を乾燥させ大地に対して平行な平面に敷き円筒状に巻き上げた雑草ロールを備えた砂漠緑化装置。
【請求項２】
乾燥した雑草を大地に対して平行な平面に敷き詰めて構成される雑草床と、複数の層に積み上げた雑草床の最上部を全面覆うよう配置された雑草飛散防止ネットと、雑草飛散防止ネットと雑草床と砂漠面とを重力方向に沿って貫き固定することが可能な杭とを備えた砂漠緑化装置。
【請求項３】
複数の層に積み上げられた雑草床の最下層と砂漠面との間の全面を覆うように設けられた藺ゴザにより構成された層を備えた請求項２に記載の砂漠緑化装置。
【発明の詳細な説明】
【技術分野】
【０００１】  本発明は、砂漠地帯などの植物の生育していない土地において、育成可能な植物と養分を与え緑化可能な砂漠緑化装置に関する。
【背景技術】
【０００２】  従来、砂漠地帯を緑化するには、牧草や潅木などを基盤の目のように地中に埋めることで砂の移動を抑える草方格を用い、植生の元となる種を撒くことで、安定し固定された砂の下において、種が水分を含んだ地中へと潜り、やがて生育していくという方法が知られている。また、海水の淡水化や上空の水分を採取し、水分を砂漠に与え部分的に緑化していくことで砂漠地帯に雲を発生させ、砂漠全体の緑化を行うという方法も知られている。
【発明の開示】
【発明が解決しようとする課題】
【０００３】  しかしながら、砂漠地帯の砂の移動を抑え、砂の地下にある水を利用し、砂自体の養分により砂漠自身を緑化させるという方法や、砂漠にそのまま水分を与え緑化を行うという方法は、緑化に成功している地域もあるが、砂漠化した土地の潜在的な育成能力に影響されやすく、地下に十分な水分が無い場合や、砂自体に初期の緑化をする育成能力が無い場合砂漠の緑化を達成することが難しい。本発明は、上記課題に鑑みてなされたもので、植生の種、養分、保水性の持った土の元となるものを砂漠の上に敷き詰め、水分を定期的に与えることで、敷き詰めたものが腐り、土となることで、どのような条件の砂漠地帯においても、緑化の土台となる土壌を築くことが可能となる砂漠緑化装置を提供する。
【課題を解決するための手段及び効果】
【０００４】  本発明の砂漠緑化装置は、雑草を乾燥させ大地に対して平行な平面に敷き円筒状に巻き上げた雑草ロールを備えたので、雑草の育成能力が高い肥沃な大地から、砂漠地帯へ雑草を移送することが可能となる。
【０００５】  さらに、乾燥した雑草を大地に対して平行な平面に敷き詰めて構成される雑草床と、複数の層に積み上げた雑草床の最上部を全面覆うよう配置された雑草飛散防止ネットと、雑草飛散防止ネットと雑草床と砂漠面とを重力方向に沿って貫き固定することが可能な杭とを備えたので、砂漠面の上に、種や養分のある雑草床が配置され、杭と雑草飛散防止ネットにより固定され、水分を定期的に与えることで、雑草が発芽及び育成し、やがて腐敗し肥沃な土壌が形成される。
【０００６】  また、複数の層に積み上げられた雑草床の最下層と砂漠面との間の全面を覆うように設けられた藺ゴザにより構成された層を備えたので、より水分が雑草床の層と藺ゴザの間に保水され、より早く雑草の生育と腐敗により、肥沃な土壌を形成することが可能となる。
【発明を実施するための最良の形態】
【０００７】  図１乃至図４は本発明の最良の形態による砂漠緑化装置を示し、図１は重力方向に沿って切断した砂漠緑化装置の全体断面図を示し、図２は砂漠緑化装置の全体平面図を示し、図３は雑草ロールの断面図を示し、図４は雑草ロールの平面図を示す。【０００８】  本発明の砂漠緑化装置は、砂漠面６の上に、複数の層に積み重なるように配置された雑草床２と、複数の層の最上部に配置された雑草床２を覆うよう設けられた格子状の雑草飛散防止ネット３と、雑草飛散防止ネット３と複数の層の雑草床２と砂漠面６とを固定するよう重力方向に沿って貫くよう設けられた杭５とを備える。【０００９】  雑草床２は、図３に示すように雑草の育成する地域で刈り取られた雑草を集め乾燥させ移送可能なように円筒状に巻いた雑草ロール１を砂漠面６へ移送し開き敷くよう構成される。雑草ロール１は、砂漠面６に平行な平面にロール状の雑草の束を平面状に開き雑草床２として設けられ、雑草床２と雑草床２の間に隙間の無いよう格子状に敷き詰められる。そして、複数の雑草床２で敷き詰められた平面の上には、複数の雑草床２で構成された別の平面が覆いかぶさるよう設けられる。上に配置される平面の雑草床２は、下に配置される雑草床２と雑草床２の境界を跨ぐように配置される。複数の雑草床２が敷き詰められ構成された平面は、さらに複数の雑草床２により構成された平面を重ね、全体で２層以上の平面が積み重なるよう構成される。【００１０】  図２に示すように、杭５は、格子状に敷き詰められた雑草床２により構成された平面の端に離間を保って複数個所に設けられる。【００１１】  格子状に敷き詰められた雑草床２により構成された平面の最下部に位置する平面と砂漠面６との間の全面には、藺ゴザ４を設ける。藺ゴザ４は、杭５により砂漠面６に固定されるよう構成される。【００１２】  次に動作を説明する。まず、砂漠緑化装置の全面に水を与える。与えられた水は、砂漠緑化装置の、複数層に積み重ねられた雑草床２及び藺ゴザ４に吸収される。砂漠緑化装置には、定期的に水が与えられる。太陽光線による栄養と水分が与えられることで、雑草床２に含まれる雑草などの種が発芽し、雑草床２の中で育成をはじめる。【００１３】  同時に、与えられた水分は複数の層に積まれた雑草床２及び藺ゴザ４により保水される。太陽熱と雑草床２及び藺ゴザ４の保水により、時間の経過とともに雑草床２は、腐食をはじめる。雑草床２の腐食が継続することでさらに腐食が進み、やがて土となる。【００１４】  雑草床２の中に含まれる雑草などの種が生育した後、生育した雑草は刈られるか又は枯れることで、雑草床２の土と一体化される。【００１５】  雑草の生育と土の増加が繰り返されることで、砂漠面６に肥沃な土壌が構成されていく。そして、十分に肥沃な土壌が構成されると、その他の植物の育成が可能となる。【００１６】  最良の形態によると、乾燥させた雑草を平面に敷き詰め円筒状に構成したので、雑草の育成可能な地域から、砂漠地帯などの雑草の生育していない地域へ、乾燥させた雑草を移送可能となった。【００１７】  複数の雑草床２を平面状に敷き詰め、複数の層に構成し、最上部に位置する雑草床２により構成された平面の上には、全面を覆うように雑草飛��防止ネット３が設けられ、雑草飛散防止ネット３と、雑草床２の平面と、藺ゴザ４に対して、重力方向に沿って杭５が貫くよう設けられたので、雑草飛散防止ネット３と雑草床２と藺ゴザ４との風による離散防止が可能となった。【００１８】  藺ゴザ４が、砂漠面６と最下部に位置する雑草床２との間に設けられたので、砂漠緑化装置に与えられた水が、雑草床２及び藺ゴザ４に吸収され、砂漠面６への水の流出を防止可能となった。また、雑草床２が乾燥をはじめると藺ゴザ４に含まれる水が上昇し、雑草床２に吸収され、雑草床２の保水維持が可能となる。
【産業上の利用可能性】
【００１９】
【００２０】    上記では、雑草ロール１及び雑草床２は、乾燥した雑草により構成されたが、葉や枝などから構成される腐葉土により構成しても良い。
【図面の簡単な説明】
【００２１】
【図１】砂漠緑化装置の全体断面図（最良の形態）。
【図２】砂漠緑化装置の全体平面図（最良の形態）。
【図３】雑草ロールの断面図（最良の形態）。
【図４】雑草ロールの平面図（最良の形態）。
【符号の説明】
【００２２】  １  雑草ロール、２  雑草床、３  雑草飛散防止ネット、４  藺ゴザ、５  杭、６  砂漠面
【図１】
2010011837.tif 000003
【図２】
2010011837.tif 000004
【図３】
2010011837.tif 000005
【図４】
2010011837.tif 000006